(57)【要約】  【課題】  装置本体の本体ケースの形状に改良を加えることによりヒンジケースやブラケットなどを省略でき、構造の簡素化、部材点数および組付け工数の減少、コスト低減を図る。  【解決手段】  装置本体１のプラスチック製の本体ケース２の一部に、上方開放状の有底筒部９を一体に成形するとともに、有底筒部９の開口上端部に、相対向する一対の軸受１０，１１を一体に成形している。前記軸受１０，１１間には摺動突起１９ａをもつカム部材１９がヒンジピン１２回りに回転自在に枢着される。有底筒部９の内部には摺動突起１９ａに当接するカム当接面１６をもつスライダー１７が上下方向に摺動自在に収納されるとともに、スライダー１７を常に押上げ付勢するばね部材１８が収納される。本体ケース２に一体成形した有底筒部９の内部に直接、スライダー１７及びばね部材１８を収納するので、少ない部材点数並びに組付け工数で組付けることができる。【選択図】      図４
2006037588.tif 000002
【特許請求の範囲】
【請求項１】
装置本体のプラスチック製の本体ケースに対し開閉体をヒンジ部材を介して開閉回動可能に取付け、前記ヒンジ部材が、前記本体ケース側に取付けられた固定側ヒンジ体と、前記開閉体の回動基端側に取付けられた可動側ヒンジ体とを備え、
前記可動側ヒンジ体が、カム部材と、このカム部材から下向きに突設された摺動突起とを備え、
前記固定側ヒンジ体が、上端に前記摺動突起に当接するカム当接面を有するスライダーと、該スライダーを常に上方へ押上げ付勢するばね部材とを備え、
前記カム部材、前記圧縮コイルばね及びスライダーにより発生する開き方向のモーメントと、前記開閉体の自重による閉じ方向のモーメントとのバランスにより前記開閉体を任意開き角度位置で停止保持できるようにしてある開閉装置において、
前記本体ケースの一部に、上方開放状の有底筒部を一体に成形するとともに、前記有底筒部の開口上端部に、相対向する一対の軸受を一体に成形しており、
前記スライダーが前記有底筒部の内部に上下方向に摺動自在に収納され、前記ばね部材が前記有底筒部内の前記スライダーの下側に収納され、
前記カム部材が前記軸受間にヒンジピン回りに回転自在に枢着されていることを特徴とする、開閉装置。
【請求項２】
装置本体のプラスチック製の本体ケースに対し開閉体をヒンジ部材を介して開閉回動可能に取付け、前記ヒンジ部材が、前記本体ケース側に取付けられる固定側ヒンジ体と、前記開閉体の回動基端側に取付けられる可動側ヒンジ体とを備え、
前記可動側ヒンジ体が、カム部材と、このカム部材から下向きに突設された摺動突起とを備え、
前記固定側ヒンジ体が、上端に前記摺動突起に当接するカム当接面を有するスライダーと、該スライダーを常に上方へ押上げ付勢するばね部材とを備え、
前記カム部材、前記圧縮コイルばね及びスライダーにより発生する開き方向のモーメントと、前記開閉体の自重による閉じ方向のモーメントとのバランスにより前記開閉体を任意開き角度位置で停止保持できるようにしてある開閉装置の取付け方法であって、
前記本体ケースの一部に、上方開放状の有底筒部を一体に成形するとともに、前記有底筒部の開口上端部に、相対向する一対の軸受を一体に成形し、
前記有底筒部の内部に前記スライダーを上下方向に摺動自在に収納すると共に、該スライダーの下側に該スライダーを常に押上げ付勢するばね部材を収納し、
次いで、前記カム部材を前記軸受間にヒンジピン回りに回転自在に枢着し、
次いで、前記カム部材を前記開閉体に一体的に取付けることを特徴とする、開閉装置の取付け方法。
【発明の詳細な説明】
【技術分野】
【０００１】
本発明は、プリンター・スキャナー複合機における開閉体の開閉機構に好適な開閉装置および開閉装置の取付け方法に関する。
【背景技術】
【０００２】
従来、この種の開閉装置には、たとえば、図７、図８に示すように、プリンターなど装置本体３０に取付けられる固定側ヒンジ体３１と、装置本体３０に対して上下方向に開閉回動可能に設置されるスキャナーなど開閉体３２の回動基端側に取付けられる可動側ヒンジ体３３とを備えたものがある（例えば、特許文献１参照。）。
【０００３】
上記固定側ヒンジ体３１は、図８のように、装置本体３０とは別体に、有底筒状に形成されたヒンジケース３４と、このヒンジケース３４の開口上端部に相対向状に形成された一対の軸受３５，３５とを有し、該ヒンジケース３４内には、上端にカム当接面３７ａを有するスライダー（前出の文献１では「くさび体」という）３７を上下摺動自在に内装するとともに、該スライダー３７を常に上方へ押上げ付勢して開閉体３２の自重による閉方向のモーメントに抗して可動側ヒンジ体３３に開方向のモーメントを与える圧縮コイルばね３８を内装してある。
一方、上記可動側ヒンジ体３３は、前記一対の軸受３５，３５間にヒンジピン３９回りに回動可能に枢着されたカム部材４０と、このカム部材４０の外周一部から突設され、開閉体３２の開閉に伴いカム当接面３７ａに摺動して可動側ヒンジ体３３に開き方向の回転トルクを作用する円弧状突起４０ａとを有している。このような固定側ヒンジ体３１と可動側ヒンジ体３３とを備える上記開閉装置によれば、カム部材４０、圧縮コイルばね３８及びスライダー３７により発生する開き方向のモーメントと、開閉体３２の自重による閉じ方向のモーメントとのバランスにより開閉体３２の開閉操作を軽快にし、開閉体３２を任意開き角度位置で停止保持できる。
【０００４】
【特許文献１】特開２００１−９８８３９号公報（図１、図６）
【発明の開示】
【発明が解決しようとする課題】
【０００５】
上記開閉装置では、固定側ヒンジ体３１は、スライダー３７及び圧縮コイルばね３８を収容する有底筒状のヒンジケース３４を用意し、図７に示すように、このヒンジケース３４を装置本体３０に対しブラケット４１で取付けている。しかし、こうした固定側ヒンジ体３１の取付け方では、ヒンジケース３４、ブラケット４１の部材を要し、またヒンジケース３４をブラケット４１に一体的に結合する組付け工程と、ブラケット４１を装置本体３０に固定する組付け工程とを必要とするため、部材点数並びに組付け工数の増大を招き、それだけコスト高になっていた。
【０００６】
本発明は、このような問題を解決する為になされたものであり、その目的とするところは、上記のような、固定側ヒンジ体と可動側ヒンジ体を備える開閉装置において、固定側ヒンジ体の取付けられる装置本体の本体ケースの形状に改良を加えることによりヒンジケースやブラケットなどを省略でき、構造の簡素化、部材点数および組付け工数の減少、コスト低減を図れる開閉装置及びその取付け方法を提供することにある。
【課題を解決するための手段】
【０００７】
上記目的を達成するために、本発明の開閉装置は、装置本体のプラスチック製の本体ケースに対し開閉体をヒンジ部材を介して開閉回動可能に取付け、前記ヒンジ部材が、前記本体ケース側に取付けられた固定側ヒンジ体と、前記開閉体の回動基端側に取付けられた可動側ヒンジ体とを備え、前記可動側ヒンジ体が、カム部材と、このカム部材から下向きに突設された摺動突起とを備え、前記固定側ヒンジ体が、上端に前記摺動突起に当接するカム当接面を有するスライダーと、該スライダーを常に上方へ押上げ付勢するばね部材とを備え、前記カム部材、前記圧縮コイルばね及びスライダーにより発生する開き方向のモーメントと、前記開閉体の自重による閉じ方向のモーメントとのバランスにより前記開閉体を任意開き角度位置で停止保持できるようにしてある開閉装置において、前記本体ケースの一部に、上方開放状の有底筒部を一体に成形するとともに、前記有底筒部の開口上端部に、相対向する一対の軸受を一体に成形しており、前記スライダーが前記有底筒部の内部に上下方向に摺動自在に収納され、前記ばね部材が前記有底筒部内の前記スライダーの下側に収納され、前記カム部材が前記軸受間にヒンジピン回りに回転自在に枢着されていることに特徴を有するものである。
【０００８】
上記目的を達成するために、本発明の開閉装置の取付け方法は、装置本体のプラスチック製の本体ケースに対し開閉体をヒンジ部材を介して開閉回動可能に取付け、前記ヒンジ部材が、前記本体ケース側に取付けられる固定側ヒンジ体と、前記開閉体の回動基端側に取付けられる可動側ヒンジ体とを備え、前記可動側ヒンジ体が、カム部材と、このカム部材から下向きに突設された摺動突起とを備え、前記固定側ヒンジ体が、上端に前記摺動突起に当接するカム当接面を有するスライダーと、該スライダーを常に上方へ押上げ付勢するばね部材とを備え、前記カム部材、前記圧縮コイルばね及びスライダーにより発生する開き方向のモーメントと、前記開閉体の自重による閉じ方向のモーメントとのバランスにより前記開閉体を任意開き角度位置で停止保持できるようにしてある開閉装置の取付け方法であって、前記本体ケースの一部に、上方開放状の有底筒部を一体に成形するとともに、前記有底筒部の開口上端部に、相対向する一対の軸受を一体に成形し、前記有底筒部の内部に前記スライダーを上下方向に摺動自在に収納すると共に、該スライダーの下側に該スライダーを常に押上げ付勢するばね部材を収納し、次いで、前記カム部材を前記軸受間にヒンジピン回りに回転自在に枢着し、次いで、前記カム部材を前記開閉体に一体的に取付けることに特徴を有するものである。
【発明の効果】
【０００９】
上記構成の開閉装置およびその取付け方法によれば、装置本体側のプラスチック製の本体ケースに一体成形した有底筒部の内部に直接、スライダー及びばね部材を収納するという構造を採用するので、前述した従来の開閉装置のような本体ケースとは別体のヒンジケースやブラケットを省略することができ、また従来のようなヒンジケースをブラケットに一体的に結合する組付け工程やブラケットを装置本体側に固定する組付け工程が不必要となる。スライダー及びばね部材は装置本体側の本体ケースと一体の有底筒部内に落とし込む方法で収納するだけの簡易かつ迅速な操作で組付けることができる。したがって、部材点数並びに組付け工数の減少、コスト低減を図ることができて有利である。
【００１０】
また、カム部材をヒンジピン回りに回転自在に支持する一対の軸受も、装置本体側のプラスチック製の本体ケースに一体成形しているので、その軸受の本体ケースへの組付けをも省略することができる。
【００１１】
上記構成の開閉装置の取付け方法によれば、スライダー、ばね部材、及びカム部材を装置本体側に組付けた後、開閉体をカム部材に取付けるだけの数少ない組立工数で開閉体を装置本体に開閉回動可能に取付けることができる。
【発明を実施するための最良の形態】
【００１２】
本発明の好適な実施形態を図面に基づき説明する。図１は本発明の一実施例を示す開閉装置を備えた複合機を正面側から見た外観斜視図、図２は図１の複合機の背面図、図３は図２におけるＡ−Ａ線断面図、図４は図１の複合機のスキャナーの開き状態を図３に相応して示す断面図、図５は図１の複合機の分解状態を背面側から見た斜視図、図６は図５中の開閉装置部分の分解状態を正面側から見た斜視図である。
【００１３】
以下、本発明に係る開閉装置をプリンター・スキャナー複合機に適用した場合の実施例を図１〜図６に基づき説明する。図１、図２において、１は、本発明の装置本体の一例を示す、プリンター・スキャナー複合機のプリンター、２はプリンター１のプラスチック製の本体ケースで、この内部には図示省略するが、プリントヘッドやインクカートリッジ等を内蔵している。３は、本発明の開閉体の一例を示す、スキャナーであって、プリンター１の上に搭載されている。スキャナー３は、該スキャナー３で原稿を読み取るときに開けられる原稿カバー４を備え、この原稿カバー４を含むスキャナー３全体がインクカートリッジの取付けや交換時、用紙詰まり時などに開けられるように、プリンター１に対し本発明の開閉装置５で開閉回動可能に取付けられている。
【００１４】
上記開閉装置５は、図３、図５および図６に示すように、プリンター１のプラスチック製の本体ケース２に対しスキャナー３をヒンジ部材６を介して開閉回動可能に取付ける。ヒンジ部材６は、本体ケース２側に取付けられる固定側ヒンジ体７と、スキャナー３の回動基端側に取付けられる可動側ヒンジ体８とを備える。
【００１５】
図６に示すように、固定側ヒンジ体７が取付けられるプラスチック製の本体ケース２の上壁一部には、該本体ケース２のプラスチック成形と同時に、上方開放状の有底筒部９を一体に成形するとともに、該有底筒部９の開口上端部に、相対向する一対の軸受１０，１１を一体に成形している。一対の軸受１０，１１にはヒンジピン１２が挿通されるピン孔１３，１４を設けており、軸受１０，１１の後端どうしは背面板１５で一体につないだ、平面視においてコの字形状に形成している。
【００１６】
図３、図６に示すように、固定側ヒンジ体７は、上端に前方下り斜面状のカム当接面１６を前向きに一体形成したスライダー１７と、圧縮コイルばね等によるばね部材１８とを備え、そのばね部材１８は有底筒部９の開口上端部から内部に落とし込んで収納するとともに、該ばね部材１８の上側にスライダー１７を上下方向に摺動自在に、かつばね部材１８により常に上方へ押上げ付勢されるよう収納される。ばね部材１８は、後述する説明で明らかなようにスキャナー３の自重による閉方向のモーメントに抗して可動側ヒンジ体８に開方向のモーメントを与える強さを有するものが使用される。
【００１７】
一方、可動側ヒンジ体８は、図３、図６に示すように、カム部材１９と、このカム部材１９から下向きに一体に突設された摺動突起１９ａとを備える。カム部材１９にはヒンジピン１２が挿通されるピン孔２０を水平方向に貫通状に設けており、また上端面に取付ねじ２１がねじ込まれる雌ねじ２２を上方開放状に垂直に設けている。該カム部材１９は軸受１０，１１間に介入するとともに、強い押え力をカム部材１９に加えて摺動突起１９ａでスライダー１７をばね部材１８の力に抗して押し下げることにより、カム部材１９のピン孔２０を軸受１０，１１のピン孔１３，１４に一致させ、ヒンジピン１２をピン孔１０，２０，１１に挿通する。これによりカム部材１９は軸受１０，１１間にヒンジピン１２回りに回転自在に枢着され、またばね部材１８は圧縮され、このばね部材１８によりスライダー１７が常に上方へ押上げ付勢され、スライダー１７のカム当接面１６にカム部材１９の摺動突起１９ａが強い押圧力で接触する組付け状態が得られる。
【００１８】
このようにプリンター１の本体ケース２側に固定側ヒンジ体７のばね部材１８、スライダー１７、及び可動側ヒンジ体８のカム部材１９を組付けた後は、図３、図５に示すように、スキャナー３の回動基端側の凹欠部２３の上壁部に設けてある取付孔２４がカム部材１９の雌ねじ２２に一致するようスキャナー３をプリンター１の上に置き、取付ねじ２１を取付孔２４に差込み、雌ねじ２２にねじ込んで締付けることによりスキャナー３の回動基端側がカム部材１９に一体的に取付けられる。
【００１９】
次に、上記構成の開閉装置５の作動について図３、図４を参照にして説明する。図３は、図１に示す場合と同様に、スキャナー３が閉じた状態図を示している。この閉じ状態では、可動側ヒンジ体８のカム部材１９の摺動突起１９ａは固定側ヒンジ体７のスライダー１７のカム当接面１６の上端部に位置しており、スキャナー３の自重によって生じる閉方向のモーメントの大きさと、ばね部材１８の力によって生じる開方向のモーメントの大きさとが均衡を保ってスキャナー３の閉じ状態を保持している。
【００２０】
この閉じ状態から図４のようにスキャナー３をヒンジピン１２回りに上方へ開いて行くと、カム部材１９の摺動突起１９ａはスライダー１７のカム当接面１６を下り方向に摺動するとともに、スライダー１７はばね部材１８により押上げられながらカム当接面１６と摺動突起１９ａとの摺接作用によりスキャナー３に開き方向の回転トルクを与える。したがって、比較的重いスキャナー３も小さい開き操作力で軽快に開けることができる。また、スキャナー３の水平な全閉状態と垂直な開き状態の中間位置における任意開き角度ではスキャナー３の自重によって生じる閉方向のモーメントの大きさと、ばね部材１８の力によって生じる開方向のモーメントの大きさとが均衡を保って停止保持できる。
【００２１】
このように作用する開閉装置５は、プリンター１のプラスチック製の本体ケース２に有底筒部９を一体成形し、組み付けに際してはこの有底筒部９の内部に直接、スライダー１７及びばね部材１８を収納するので、少ない部材点数並びに組付け工数で組付けることができるに至った。カム部材１９をヒンジピン１２回りに回転自在に支持する一対の軸受１０，１１も、プリンター１のプラスチック製の本体ケース２に一体成形しているので、その軸受１０，１１の本体ケース２への組付けをも省略することができる。
また、スライダー１７、ばね部材１８、及びカム部材１９をプリンター１側に組付けた後、スキャナー３をカム部材１９に取付けるという取付け方法を採用することによりきわめて数少ない組立工数でもってスキャナー３をプリンター１に開閉回動可能に簡単に取付けることができる。
【００２２】
上記実施例ではプリンター・スキャナー複合機のスキャナーの開閉機構に適用した場合について説明したが、本発明の開閉装置はその他の、例えば複写機の原稿圧着板など各種の開閉機構にも同様に適用できることは言うまでもない。
【図面の簡単な説明】
【００２３】
【図１】本発明の一実施例を示す開閉装置を備えた複合機を正面側から見た外観斜視図である。
【図２】図１の複合機の背面図である。
【図３】図２におけるＡ−Ａ線断面図である。
【図４】図１の複合機のスキャナーの開き状態を図３に相応して示す断面図である。
【図５】図１の複合機の分解状態を背面側から見た斜視図である。
【図６】図５中の開閉装置部分の分解状態を正面側から見た斜視図である。
【図７】従来例の開閉装置の側面図である。
【図８】従来例の開閉装置の開閉体の開き状態を示す縦断側面図である。
【符号の説明】
【００２４】
１  プリンター（装置本体の一例）
２  本体ケース
３  スキャナー（開閉体の一例）
５  開閉装置
６  ヒンジ部材
７  固定側ヒンジ体
８  可動側ヒンジ体
９  有底筒部
１０，１１  軸受
１２  ヒンジピン
１６  カム当接面
１７  スライダー
１８  ばね部材
１９  カム部材
１９ａ  摺動突起
【図１】
2006037588.tif 000003
【図２】
2006037588.tif 000004
【図３】
2006037588.tif 000005
【図４】
2006037588.tif 000006
【図５】
2006037588.tif 000007
【図６】
2006037588.tif 000008
【図７】
2006037588.tif 000009
【図８】
2006037588.tif 000010